(57)【要約】      （修正有）【課題】安全かつ容易に扉の取付け及び取外しを行なうことができ、仮に本体固定ねじが緩んでも扉が倒れるといった不具合を防止することのできるスライド蝶番を提供する。【解決手段】扉に固定されるカップ２２，本体固定ねじ１０の係入部４１と係止部４２が形成されたアーム４０，カップ２２をアーム４０に対して回動させるリンク２３，２４及び，係入部４１を塞ぐ抜け止め部５１を備えた抜け止めプレート５０からなる蝶番本体２と、アーム４０と扉取付け枠とを連結する連結手段３と、係止部４２に固定され、連結手段３にアーム４０を固定する本体固定ねじ１０と、を具備した構成としてある。【選択図】      図２
2004339803.tif 000002
【特許請求の範囲】
【請求項１】
扉に固定されるカップ，ねじの係入部と係止部が形成されたアーム，前記カップを前記アームに対して回動させるリンク，及び，前記係入部を塞ぐ方向に付勢された抜け止めプレートを有する蝶番本体と、
前記アームと扉取付け枠とを連結する連結手段と、
頭部が、前記係入部から係入して前記係止部に固定され、前記連結手段に前記アームを固定する、前記連結手段に螺着された本体固定ねじと、
を具備したことを特徴とするスライド蝶番。
【請求項２】
前記抜け止めプレートの前記係入部を塞ぐ抜け止め部が、前記本体固定ねじの頭部底面の下方に位置することを特徴とする請求項１記載のスライド蝶番。
【請求項３】
あらかじめ、前記本体固定ねじを前記連結手段の雌ねじに締め込み、さらに、前記本体固定ねじの先端に雌ねじから外れないようにするためのストッパを設けたことを特徴とする請求項１又は２記載のスライド蝶番。
【請求項４】
前記ストッパが前記本体固定ねじに形成したかしめであることを特徴とする請求項３記載のスライド蝶番。
【請求項５】
前記アームの長手方向断面を‘コ’字状に形成し、対向する側板の間に、抜け止めプレートを回動自在に設けたことを特徴とする請求項１〜４のいずれかに記載のスライド蝶番。
【発明の詳細な説明】
【０００１】
【発明の属する技術分野】
本発明は、扉に取り付けられた蝶番本体のアームを、扉取付け枠に取り付けられた連結手段にワンタッチで仮止めすることができ、かつ、アームを連結手段に固定する本体固定ねじが緩んでも、アームが連結手段から外れないスライド蝶番に関する。
【０００２】
【従来の技術】
従来、キャビネット等の扉取付け枠に扉を取り付けるスライド蝶番は、扉に固定されるカップ，ねじの係入部と係止部が形成されたアーム，カップをアームに対して回動させるリンクを有する蝶番本体と、アームと扉取付け枠とを連結する連結手段と、頭部が、係入部から係入して係止部に固定され、連結手段にアームを固定する、連結手段に螺着された本体固定ねじとからなっていた。
【０００３】
一般的に、係入部は、本体固定ねじの頭部が貫通可能な丸孔としてあり、また、係止部は、上記丸孔に連通され、本体固定ねじのねじ部外径より大きく、かつ、頭部外径より小さい穴幅の長穴としていた。
このように、係入部と係止部を設けることにより、あらかじめ連結手段に本体固定ねじを取り付けた状態で、扉に取り付けられた蝶番本体のアームを、扉取付け枠に取り付けられた連結手段に係止することができた。
なお、長穴状の係止部は、扉取付け枠に対する扉の取付け位置を調整するためのものである。
【０００４】
このスライド蝶番の一般的な取付け手順は、まず、蝶番本体のカップを扉に固定するとともに、連結手段を扉取付け枠に取り付ける。続いて、本体固定ねじを頭部が浮いた状態で連結手段の雌ねじに締め込む。
次に、本体固定ねじの頭部を蝶番本体のアームの係入部から係入して、続いて、本体固定ねじを係止部に係止して扉を仮止めする。そして、扉を仮止めした状態で扉の取付け位置を調整し、取付け位置が決まったところで本体固定ねじを締め付け、扉ごと蝶番本体を連結手段に取り付ける。
すなわち、スライド蝶番は、係入部及び係止部を設けることにより、片手で扉を支えるとともに、もう片方の手でねじを締め付けるといった熟練を要する難しい作業を行なわなくてもすむので、作業性を大幅に改善することができた。
【０００５】
ところで、上記スライド蝶番は、扉の取付け位置を調整するときや、本体固定ねじが緩んだ状態で扉が開閉されたとき等において、本体固定ねじが係入部に移動すると、本体固定ねじの頭部が係入部から抜けてしまい、蝶番本体のアームが連結手段から外れる危険性があった。
このため、スライド蝶番は、取り付けやすさや、安全性等を向上させる観点から様々な工夫が施されてきた。
【０００６】
たとえば、ヒンジ本体と、マウンティングプレートと、止めねじと、止めねじに取り付けられた座金を備えたヒンジであって、座金が、塑性変形する材質からなり、変形前には、ねじ挿通用鍵穴を通過することができ、かつ、ねじ締め後には、塑性変形しねじ挿通用鍵穴より大きくなっているヒンジがある（実用新案文献１）。
このヒンジは、止めねじを締め付けると、座金が塑性変形しねじ挿通用鍵穴を通り抜けれなくなるので、止めねじを緩めて調整作業を行なっても、ヒンジ本体がマウンティングプレートから離脱、脱落するといった不具合を回避することができる。
【０００７】
また、スライド蝶番を構成するキャビネット側に固定されるキャビネット側部材に対し、扉側に固定される扉側部材を重ね合わせて組み付けるときに、一端部をキャビネットに固定され、他端部を締付ネジに固定される軟質シート材を付設し、この軟質シート材によりキャビネット部材からの扉側部材の外れを防止するスライド蝶番の外れ防止構造がある（特許文献１）。
この技術は、スライド蝶番の外れを防止して扉の落下事故を確実に防ぐことができる。
【０００８】
【実用新案文献１】
実公平５−１２４５６号公報
【特許文献１】
特開平７−１０２８４７号公報
【０００９】
【発明が解決しようとする課題】
しかしながら、上記ヒンジは、扉を取り外す際、座金を塑性変形させているので、止めねじを緩めるだけではなく取り外す必要がある。この取外し作業は、扉を支えながら止めねじを外すといった熟練を要する作業であり、生産性が低下するといった問題があった。また、取外し作業中に、扉を倒してしまう危険性もあった。
また、このヒンジは、取り外した扉を再度取り付ける際、塑性変形した座金を用いるとすると、片手で扉を支えるとともに、もう片方の手で座金の付いたねじを締め付けるといった熟練を要する難しい作業を行なう必要があり、作業性が大きく低下するといった問題があった。
【００１０】
さらに、複数のヒンジを取り付ける場合、座金を塑性変形させるまでは、座金がねじ挿通用鍵穴から外れることもあり、扉を倒してしまう危険性があった。
また、扉の取付け位置を調整する際、止めねじを緩めすぎると、止めねじが連結手段から抜けてしまうので、止めねじを緩めすぎないように注意する必要もあった。
【００１１】
また、上記スライド蝶番の外れ防止構造は、軟質シート材，段状板材や止板を締付ねじで固定する必要があるので、取付け作業や取外し作業が、熟練を要する作業となってしまい、生産性が低下するといった問題があった。
【００１２】
本発明は上述の問題点に鑑み、安全かつ容易に扉の取付け及び取外しを行なうことができ、仮に本体固定ねじが緩んでも扉が倒れるといった不具合を防止することのできるスライド蝶番の提供を目的とする。
【００１３】
【課題を解決するための手段】
上記目的を達成するため、本発明のスライド蝶番は、扉に固定されるカップ，ねじの係入部と係止部が形成されたアーム，前記カップを前記アームに対して回動させるリンク，及び，前記係入部を塞ぐ方向に付勢された抜け止めプレートを有する蝶番本体と、前記アームと扉取付け枠とを連結する連結手段と、頭部が、前記係入部から係入して前記係止部に固定され、前記連結手段に前記アームを固定する、前記連結手段に螺着された本体固定ねじと、を具備した構成としてある。
このような構成によれば、本体固定ねじの頭部を係入部に押し込むと、抜け止めプレートが付勢力に抗して開き頭部が係入部を貫通する、続いて、本体固定ねじのねじ部を係止部へ移動させると、抜け止めプレートが付勢力により閉じて、係入部を自動的に覆うので、特別に抜け止めプレートを操作しなくてよく、ワンタッチ操作で蝶番本体を仮止めすることができる。
また、蝶番本体を連結手段から取り外すときは、抜け止めプレートを付勢力に抗して持ち上げ係入部を開け、この係入部から本体固定ねじの頭部を引き抜くことによって容易に仮止めを解除することができる。
【００１４】
また、このスライド蝶番は、前記抜け止めプレートの前記係入部を塞ぐ抜け止め部が、前記本体固定ねじの頭部底面の下方に位置する構成としてある。
このようにすると、本体固定ねじが係入部方向に移動しても、抜け止め部が本体固定ねじの頭部の下方に位置するので、抜け止め部が頭部に乗り上げるといった不具合を防止でき、仮止めした蝶番本体が連結手段から外れるといった不具合を確実に防止することができる。
【００１５】
また、このスライド蝶番は、あらかじめ、前記本体固定ねじを前記連結手段の雌ねじに締め込み、さらに、前記本体固定ねじの先端に雌ねじから外れないようにするためのストッパを設けた構成としてある。
このようにすると、本体固定ねじが緩んでも連結手段から抜けないので、仮止めした蝶番本体が連結手段から外れるといった不具合をより確実に防止することができる。
さらに、前記ストッパを前記本体固定ねじに形成したかしめとしてもよく、このようにすると、構造を単純化することができ製造費のコストダウンを図ることができる。
【００１６】
また、このスライド蝶番は、前記アームの長手方向断面を‘コ’字状に形成し、対向する側板の間に、抜け止めプレートを回動自在に設けた構成としてある。
このようにすると、アームの底板を連結手段に直接螺着することができ、構造を単純化することができる。
【００１７】
【発明の実施の形態】
以下、本発明の各実施形態について、図面を参照して説明する。
［第一実施形態］
まず、本発明のスライド蝶番の第一実施形態を、図面を参照して説明する。
図１は、第一実施形態にかかるスライド蝶番の取付け状態を説明するための概略斜視図を示している。
同図において、スライド蝶番１は、蝶番９１で連結されたアコーディオン式の扉９０の四隅に配設されており、扉９０をガイドレール９２，９３に開閉自在に連結してある。
【００１８】
また、図２は、第一実施形態にかかるスライド蝶番の概略図であり、（ａ）は正面側から見た斜視図を、（ｂ）は背面側から見た斜視図を示している。
同図において、スライド蝶番１は、上記扉９０に固定される蝶番本体２と、扉取付け枠としてのガイドレール９２，９３に移動自在に取り付けられる連結手段３と、蝶番本体２を連結手段３に固定する本体固定ねじ１０とからなっている。
なお、スライド蝶番１は、蝶番本体２を連結手段３に仮止めする前の状態を図示してある。
【００１９】
図３は、第一実施形態にかかるスライド蝶番の蝶番本体の概略分解斜視図を示している。
同図において、蝶番本体２は、扉９０の凹部に凸部２１が埋設された状態で螺着されるカップ２２と、カップ２２を回動させるリンク２３，２４と、長手方向断面を‘コ’字状に形成した、長方形状の底板４４および対向する側板４５とからなるアーム４０と、アーム４０に回動自在に取り付けられた抜け止めプレート５０とからなっている。
【００２０】
リンク２３，２４は、一方の端部が、Ｕ字ピン２８を介してカップ２２と回動自在に連結されており、もう一方の端部が、リベット２５，２６を介してアーム４０と回動自在に連結されている。
これらのリンク２３，２４は、カップ２２を回動させるリンク機構を構成している。
【００２１】
アーム４０の底板４４には、本体固定ねじ１０の頭部が貫通可能な丸孔状の係入部４１と、この係入部４１に連通され、本体固定ねじ１０のねじ部外径より大きく、かつ、頭部外径より小さい穴幅の長穴状の係止部４２が形成されている。
なお、係入部４１の形状は、上記形状に限定されるものではなく、たとえば、丸孔の代わりに、底板４４の端部に向かって開口された切欠（図示せず）を設けてもよい。
【００２２】
抜け止めプレート５０は、係止部４２に移動した本体固定ねじ１０が係入部４１から抜け出ないように係入部４１を塞ぐ抜け止め部５１と、トーションばね５３により閉方向（係入部４１を塞ぐ方向）に付勢される付勢板５４と、一方の端部が抜け止め部５１と連結され、もう一方の端部が付勢板５４と連結され、さらに、リベット２７を介して回動自在にアーム４０と連結される一対の対向した側板５２とからなっている。
【００２３】
ここで、好ましくは、抜け止めプレート５０の抜け止め部５１を、係入部４１に収まる窪んだ形状に形成し、この窪みの上面が、本体固定ねじ１０の頭部底面より下方向に位置する構成にするとよい。
このようにすると、本体固定ねじ１０が係入部４１側に移動しても、抜け止め部５１の窪みが、本体固定ねじ１０の頭部底面の下方に位置するので、抜け止め部５１が頭部に乗り上げるといった不具合を防止できる。
【００２４】
連結手段３は、図２に示すように、ローラー３５と、このローラー３５を軸支するローラー固定台３１と、ローラー固定台３１に連結された連結台３２と、上下方向に移動自在に連結台３２に連結された本体固定用上下可動台３３とからなっており、ガイドレール９２，９３を自由に移動する。
【００２５】
本体固定用上下可動台３３は、本体固定ねじ１０が締め込まれる雌ねじ（図示せず）が形成された平板３４と、この平板３４を上下方向にガイドする背面方向に突設された一対の側板３６と、アーム４０の側板４５を水平方向にガイドする正面方向に突設された一対の側板３７とからなっている。
また、本体固定用上下可動台３３は、上下調整ねじ３８によって、連結台３２に対し上下方向に移動自在な構造としてあり、上下調整ねじ３８を廻すことにより、本体固定用上下可動台３３の高さを調節することができる。
【００２６】
ここで、好ましくは、本体固定ねじ１０を本体固定用上下可動台３３の平板３４の雌ねじに締め込み、平板３４から突出したねじ部の先端をかしめ、本体固定ねじ１０が本体固定用上下可動台３３から抜けないようにするとよい（図４参照）。
このようにすると、上記かしめが、本体固定ねじ１０が本体固定用上下可動台３３から抜けることを防止するストッパとして機能し、本体固定ねじ１０が抜けることによりアーム４０が本体固定用上下可動台３３から外れるといった不具合を回避することができる。
なお、ストッパは、上記かしめに限定されるものではなく、たとえば、Ｃリング，Ｅリング，ピン等を用いてもよい。
【００２７】
次に、上記構成のスライド蝶番１の使用方法について説明する。
まず、スライド蝶番１が扉９０に取り付けられた状態について説明する。
図１に示すように、扉９０の上部に取り付けられたスライド蝶番１のローラー固定台３１は、扉取付け枠に設置され下側側板に切欠を設けた四角柱状のガイドレール９２に挿入され、ローラー３５が切欠の両側の滑走面を移動する。また、扉９０の下部に取り付けられたスライド蝶番１のローラー固定台３１は、扉取付け枠（又は、床面）に埋設された溝状のガイドレール９３に収納され、ローラー３５が溝内の滑走面を移動する（図１参照）。
【００２８】
次に、蝶番本体２のアーム４０を本体固定用上下可動台３３に取り付ける取付け手順について、図面を参照して説明する。
図４は、第一実施形態にかかるスライド蝶番の取付け手順を説明するための概略図であり、（ａ）は取り付け前の断面図を、（ｂ）は位置合わせ後の断面図を、（ｃ）は本体固定ねじの頭部を係入させた後の断面図を、（ｄ）は本体固定ねじのねじ部を係止部に移動させた後の断面図を示している。
同図（ａ）において、本体固定ねじ１０は、頭部１１が少なくともアーム４０の底板４４より浮いた状態で、本体固定用上下可動台３３に取り付けられている。
また、本体固定ねじ１０は、ねじ部１２の先端があらかじめ（たとえば、製造工場において）かしめられており、このかしめ部１３がストッパとして機能するので、本体固定用上下可動台３３から抜けることはない。
【００２９】
次に、同図（ｂ）に示すように、アーム４０を、本体固定用上下可動台３３の側板３７の間に挿入し、係入部４１が本体固定ねじ１０の真上に位置するように移動させる。
この際、アーム４０の側板４５を、本体固定用上下可動台３３の側板３７がガイドするので、アーム４０をガイド方向に沿って移動させると、係入部４１を本体固定ねじ１０の真上に簡単に移動させることができる。
【００３０】
次に、同図（ｃ）に示すように、アーム４０を本体固定ねじ１０側に押し付けると、係入部４１に本体固定ねじ１０の頭部１１が貫通し、係入部４１を覆っていた抜け止めプレート５０の抜け止め部５１が、頭部１１によって開方向に押し上げられる。すなわち、抜け止めプレート５０を特別に操作しなくても、頭部１１を係入部４１に係入させることができる。
【００３１】
次に、同図（ｄ）に示すように、本体固定ねじ１０の頭部１１を係入部４１に係入させた状態で、アーム４０を反扉側に移動させると、本体固定ねじ１０のねじ部１２が係止部４２に係止される。このとき、抜け止め部５１を押し上げていた頭部１１が移動するので、トーションばね５３によって抜け止めプレート５０が閉方向に回動し、抜け止め部５１が係入部４１を覆う。
【００３２】
次に、アーム４０を移動させて扉の取付け位置を調整する。
ここで、図５（ａ）に示すように、たとえば、アーム４０を扉側に移動させようとしても、係入部４１が抜け止め部５１で塞がれているので、本体固定ねじ１０のねじ部１２が抜け止め部５１と当接し係入部４１側に移動できない。したがって、扉９０の取付け位置を調整しているとき、本体固定ねじ１０の頭部１１が係入部４１から抜けて蝶番本体２が連結手段３から外れ扉９０が倒れるといった不具合を防止し、仮止め状態を維持することができる。
続いて、図５（ｂ）に示すように、扉９０の取付け位置を調整したところで、本体固定ねじ１０を締め付けると、アーム４０を本体固定用上下可動台３３に固定することができる。
【００３３】
ここで、たとえば、図６（ａ）に示すように、抜け止め部１５１に上述した窪みを形成しないと、本体固定ねじ１０が緩んでアーム４０が扉側に移動した際、図６（ｂ）に示すように、本体固定ねじ１０の頭部１１に抜け止め部１５１が乗り上げてしまい、アーム４０が本体固定用上下可動台３３から外れてしまうことも想定される。これに対し、スライド蝶番１は、抜け止め部５１に窪みを形成し、窪みの上面を底板４４の上面より低い又は同等の高さとしてあるので、頭部１１に抜け止め部１５１が乗り上げてしまい、アーム４０が本体固定用上下可動台３３から外れるといった不具合を防止できる（図５（ａ）参照）。
【００３４】
また、図示してないが、扉９０を取り外すときは、本体固定ねじ１０を緩めてから、抜け止めプレート５０を開方向に回動させて抜け止め部５１を浮かせ、この状態でアーム４０を扉側に移動させる（図４（ｃ）参照）。続いて、頭部１１が係入部４１を通り抜けるようにアーム４０を取り外すと、蝶番本体２を連結手段３から容易に取り外すことができる。
ここで、本体固定ねじ１０は、ねじ部１２の先端がかしめられており、本体固定ねじ１０を緩める際、緩めすぎても抜けることがないので、仮止め状態を維持することができ、扉９０が倒れるといった不具合を防止することができる。
【００３５】
このように、本実施形態のスライド蝶番１によれば、本体固定ねじ１０の頭部１１を係入部４１に係入させると、抜け止め部５１が頭部１１に押されて開方向に回動し、続いて、本体固定ねじ１０を係止部４２に移動させると、抜け止め部５１が付勢力により閉方向に回動し係入部４１を覆うので、特別に抜け止めプレート５０を操作しなくても、ワンタッチ操作で蝶番本体２を連結手段３に仮止めすることができる。
また、アーム４０の長手方向断面を‘コ’字状に形成し、対向する側板４５側に、抜け止めプレート５０を回動自在に設けてあるので、アーム４０の底板４４を連結手段３の平板３４に直接螺着することができ、構造を単純化することができる。
【００３６】
［第二実施形態］
図７は、第二実施形態にかかるスライド蝶番の取付け状態を説明するための概略斜視図を示している。
同図において、スライド蝶番１ａは、観音開きの扉９０ａの四隅に配設されており、扉９０ａを回動自在に扉取付け枠９４に取り付けてある。
【００３７】
また、図８は、第二実施形態にかかるスライド蝶番の概略斜視図を示している。
同図において、スライド蝶番１ａは、扉９０ａに固定される蝶番本体２ａと扉取付け枠（図示せず）に取り付けられる連結手段３ａと、蝶番本体２ａを連結手段３ａに螺着する本体固定ねじ１０とからなっている。
なお、本実施形態の蝶番本体２ａは、上記第一実施形態の蝶番本体２において、抜け止めプレート５０の代わりに抜け止めプレート５０ａを設けてあり、蝶番本体２をひっくり返して連結手段３ａへ連結する構成としてある。
【００３８】
抜け止めプレート５０ａは、係止部４２に挿入された本体固定ねじ１０が係入部４１に移動できないように係入部４１を塞ぐ抜け止め部５１ａと、トーションばね５３により閉方向（係入部４１を塞ぐ方向）に付勢された付勢板５４ａと、一方の端部が抜け止め部５１ａと連結され、もう一方の端部が付勢板５４ａと連結され、さらに、リベット２７を介して回動自在にアーム４０ａと連結される一対の対向した側板５２ａとからなっている。
また、側板５２ａは、アーム４０ａの側板４５ａを挟む構造としてある。
【００３９】
連結手段３ａは、アーム４０ａの対向する側板４５ａ内にスライド自在に嵌入される直方体状の突起部６１と、突起部６１の両側面下端に突設された四角柱状の当接部６２からなり、突起部６１の両端部に、扉取付け枠に螺着するためのねじ孔６３が穿設されている。また、突起部６１の中央部には、本体固定ねじ１０を締め付ける雌ねじ（図示せず）が設けられている。
そして、本体固定ねじ１０が締め付けられると、上記当接部６２に、側板４５ａの下部端面が押し付けられ、この摩擦抵抗により蝶番本体２ａと連結手段３ａを連結する。
その他の構成は、第一実施形態のスライド蝶番１とほぼ同様としてある。
【００４０】
次に、上記構成のスライド蝶番１ａの使用方法について、図面を参照して説明する。
図９は、第二実施形態にかかるスライド蝶番の取付け手順を説明するための概略図であり、（ａ）は取り付け前の断面図を、（ｂ）は位置合わせ後の断面図を、（ｃ）は本体固定ねじの頭部を係入させた後の断面図を、（ｄ）は本体固定ねじのねじ部を係止部に移動させた後の断面図を示している。
同図（ａ）において、本体固定ねじ１０は、当接部６２に側板４５ａの下部端面を当接させた際、頭部１１がアーム４０ａの上板４４ａより浮いた状態で（すなわち、Ｈ＞ｈとなる状態で）、連結手段３ａに締め込まれている。
【００４１】
次に、同図（ｂ）に示すように、アーム４０ａを、両側板４５ａの間に突起部６１を挟むように挿入し、係入部４１が本体固定ねじ１０の真上に位置するように移動させる。
この際、アーム４０ａの側板４５ａが、連結手段３ａの突起部６１の側面にガイドされるので、アーム４０ａをガイド方向に移動させると、係入部４１を本体固定ねじ１０の真上に簡単に移動させることができる。
【００４２】
次に、同図（ｃ）に示すように、アーム４０ａを本体固定ねじ１０側に押し付けると、係入部４１に本体固定ねじ１０の頭部１１が貫通し、係入部４１を覆っていた抜け止めプレート５０ａの抜け止め部５１ａが、頭部１１によって開方向に押し上げられる。すなわち、抜け止めプレート５０ａを特別に操作しなくても、頭部１１を係入部４１に係入させることができる。
【００４３】
次に、同図（ｄ）に示すように、本体固定ねじ１０の頭部１１を係入部４１に係入した状態で、アーム４０ａを反扉側に移動させると、本体固定ねじ１０のねじ部１２が係止部４２に係入される。この際、抜け止め部５１ａを押し上げていた頭部１１が移動するので、トーションばね５３によって抜け止めプレート５０ａが閉方向に回動し、抜け止め部５１ａが係入部４１を覆う。
続いて、図示してないが、扉９０ａの取付け位置を調整したところで、本体固定ねじ１０を締め付けることにより、アーム４０ａの側板４５ａが当接部６２に押し付けられ連結手段３ａに固定することができる。
【００４４】
また、図示してないが、扉９０ａを取り外すときは、本体固定ねじ１０を緩めてから、抜け止めプレート５０ａを開方向に回動させて抜け止め部５１ａを浮かせ、この状態でアーム４０ａを扉側に移動させる（図９（ｃ）参照）。続いて、頭部１１が係入部４１を通り抜けるようにアーム４０ａを取り外すと、蝶番本体２ａを連結手段３ａから容易に取り外すことができる。
【００４５】
このように、本実施形態のスライド蝶番１ａによれば、本体固定ねじ１０の頭部１１を係入部４１に貫通させると、抜け止め部５１ａが頭部１１に押されて開方向に回動し、続いて、本体固定ねじ１０のねじ部１２を係止部４２に移動させると、抜け止め部５１ａが付勢力により閉方向に回動し、係入部４１を自動的に覆うので、特別に抜け止め部５１ａを操作しなくても蝶番本体２ａを確実に仮止めすることができる。
【００４６】
以上、本発明のスライド蝶番について、好ましい実施形態を示して説明したが、本発明に係るスライド蝶番は、上述した実施形態にのみ限定されるものではなく、本発明の範囲で種々の変更実施が可能であることは言うまでもない。
例えば、抜け止めプレートを回動させているが、この構成に限定されるものではなく、抜け止めプレートを移動させる構成としてもよい。
また、作業現場において、本体固定ねじをあらかじめ締めこんだ後にストッパを取り付ける構成としてもよく、このようにしても、本体固定ねじが緩み連結手段から抜けるといった不具合を防止することができる。
【００４７】
【発明の効果】
以上のように、本発明にかかるスライド蝶番によれば、本体固定ねじの頭部を係入部に係入し、本体固定ねじのねじ部を係止部に移動させると、抜け止めプレートの抜け止め部が係入部を塞ぐので、本体固定ねじが係入部に移動できなくなり、仮止めした蝶番本体が連結手段から外れるといった不具合を防止することができる。
【００４８】
さらに、抜け止め部に窪みを形成し、窪みの上面を本体固定ねじの頭部底面より下方に位置させることにより、抜け止め部が本体固定ねじの頭部に乗り上げるといった不具合を防止でき、仮止めした蝶番本体が連結手段から外れるといった不具合を確実に防止することができる。
また、本体固定ねじを連結手段の雌ねじに締め込み、貫通したねじ部先端にストッパを設けることにより、本体固定ねじが連結手段から抜けなくなるので、本体固定ねじが緩んでも、本体固定ねじが抜けて仮止めした蝶番本体が連結手段から外れるといった不具合を防止することができる。
【図面の簡単な説明】
【図１】図１は、第一実施形態にかかるスライド蝶番の取付け状態を説明するための概略斜視図を示している。
【図２】図２は、第一実施形態にかかるスライド蝶番の概略図であり、（ａ）は正面側から見た斜視図を、（ｂ）は背面側から見た斜視図を示している。
【図３】図３は、第一実施形態にかかるスライド蝶番の蝶番本体の概略分解斜視図を示している。
【図４】図４は、第一実施形態にかかるスライド蝶番の取付け手順を説明するための概略図であり、（ａ）は取り付け前の断面図を、（ｂ）は位置合わせ後の断面図を、（ｃ）は本体固定ねじの頭部を係入させた後の断面図を、（ｄ）は本体固定ねじのねじ部を係止部に移動させた後の断面図を示している。
【図５】図５は、第一実施形態にかかるスライド蝶番の取付け手順を説明するための概略図であり、（ａ）は位置合わせ中の断面図を、（ｂ）は取付け完了後の断面図を示している。
【図６】図６は、その他の例にかかるスライド蝶番の取付け状態を説明するための概略図であり、（ａ）は本体固定ねじが係止部に移動したときの断面図を、（ｂ）は係止部が頭部に乗り上がったときの断面図を示している。
【図７】図７は、第二実施形態にかかるスライド蝶番の取付け状態を説明するための概略斜視図を示している。
【図８】図８は、第二実施形態にかかるスライド蝶番の概略斜視図を示している。
【図９】図９は、第二実施形態にかかるスライド蝶番の取付け手順を説明するための概略図であり、（ａ）は取り付け前の断面図を、（ｂ）は位置合わせ後の断面図を、（ｃ）は本体固定ねじの頭部を係入させた後の断面図を、（ｄ）は本体固定ねじのねじ部を係止部に移動させた後の断面図を示している。
【符号の説明】
１，１ａ  スライド蝶番
２，２ａ  蝶番本体
３，３ａ  連結手段
１０  本体固定ねじ
１１  頭部
１２  ねじ部
１３  かしめ部
２１  凸部
２２  カップ
２３，２４  リンク
２５，２６，２７  リベット
２８  Ｕ字ピン
３１  ローラー固定台
３２  連結台
３３  本体固定用上下可動台
３４  平板
３５  ローラー
３６  側板
３７  側板
３８  上下調整ねじ
４０，４０ａ  アーム
４１  係入部
４２  係止部
４４  底板
４４ａ  上板
４５，４５ａ  側板
５０，５０ａ  抜け止めプレート
５１，５１ａ，１５１  抜け止め部
５２，５２ａ  側板
５３  トーションばね
５４，５４ａ  付勢板
６１  突起部
６２  当接部
６３  ねじ孔
９０，９０ａ  扉
９１  蝶番
９２，９３  ガイドレール
９４  扉取付け枠
【図１】
2004339803.tif 000003
【図２】
2004339803.tif 000004
【図３】
2004339803.tif 000005
【図４】
2004339803.tif 000006
【図５】
2004339803.tif 000007
【図６】
2004339803.tif 000008
【図７】
2004339803.tif 000009
【図８】
2004339803.tif 000010
【図９】
2004339803.tif 000011